(57)【特許請求の範囲】
【請求項１】
パイプ（２）の左右端部（２１，２２）を吊り下げる左右の支持具（３１，３３）であって、左右それぞれの支持具は、
取付対象物（１）から前記パイプ（２）を吊り下げるための本体板（４，４Ａ）と、この本体板（４，４Ａ）を前記パイプ（２）に密着固定させるための密着具（５，５Ａ）を有し、
前記密着具（５，５Ａ）は膨張可能な弾性体（５３，５３Ａ）と、この弾性体（５３，５３Ａ）を押圧可能な封止板（５６，５６Ａ）と、前記弾性体（５３，５３Ａ）及び前記封止板（５６，５６Ａ）を前記パイプ（２）の端部から前記パイプ（２）の中央側に向かって貫通固定する貫通するネジ（６，６Ａ）を有し、
組み立て時には、前記弾性体（５３，５３Ａ）は放射状に膨張し、前記パイプ（２）の内壁と固く密接状態となるとともに、前記密着具（５，５Ａ）及び前記封止板（５６，５６Ａ）は前記パイプ（２）の中に全体が収容される
ことを特徴とする吊りパイプ支持具。
【請求項２】
前記本体板（４，４Ａ）に前記パイプ端部（２１，２２）をはめ込むための円板状突起（４３，４３Ａ）を設けた請求項１記載の吊りパイプ支持具。
【請求項３】
前記本体板（４，４Ａ）の上端に取付対象物（１）にひっかけるための爪（４１，４２）を設けた請求項１又は２記載の吊りパイプ支持具。
【請求項４】
前記爪（４１，４２）が外れないようにするための固定具（８）を設けた請求項３記載の吊りパイプ支持具。
【請求項５】
前記固定具（８）が背板（８１）とこの背板（８１）から前方に突出する２本の腕（８２，８３）を有するものである請求項４記載の吊りパイプ支持具。
【請求項６】
前記腕（８２，８３）の側部には矢尻を有する補助爪（８５，８６）を前記腕（８２，８３）に対して平行に設けた請求項５記載の吊りパイプ支持具。
【請求項７】
前記パイプ（２）の前記左右端部（２１，２２）以外に前記パイプ（２）の中間部を吊り下げる支持具（３２）をさらに設けた請求項１〜６のいずれかに記載の吊りパイプ支持具。
【発明の詳細な説明】
【技術分野】
【０００１】
本発明は取付対象物からパイプを吊り下げて水平に支持する支持具に関する。吊りパイプは、例えば、次のような個所に用いられる。
・１本のパイプに複数のハンガーを同時にかけられるようにしたクローゼット、
・複数のパイプを並列に並べて形成した吊り棚や水切り棚、
・電車やバスの中で多数の吊り輪を吊るすための支持棒、
・吊り下げられた物干し竿。
【背景技術】
【０００２】
従来、例えば実用新案登録第３１１０６６８号（特許文献１）では、ハンガーを掛けるためのパイプが棚板支持ブラケットから吊り下げられている。そのために、ブラケットにはパイプを吊り下げるための延長部が一体形成されている。
【０００３】
また、実用新案登録第３１６７３２９号（特許文献２）では、ブラケットを２本のバーで形成し、その間にパイプを通すようにしている。
【先行技術文献】
【特許文献】
【０００４】
【特許文献１】実用新案登録第３１１０６６８号
【特許文献２】実用新案登録第３１６７３２９号
【発明の概要】
【発明が解決しようとする課題】
【０００５】
これらの従来技術では、パイプ吊り下げを目的とした専用のブラケットが必要となる。特許文献１では延長部、特許文献２では、２本のバーを有することが必須である。
【０００６】
本発明は、そのような延長部や余分なバーを必要としないで、ブラケットなどの取付対象物からパイプを吊り下げのための支持具を提供することを目的とする。
【課題を解決するための手段】
【０００７】
本発明の吊りパイプ支持具は、パイプ２の左右端部２１，２２を吊り下げる左右の支持具３１，３３であって、左右それぞれの支持具は、取付対象物１から前記パイプ２を吊り下げるための本体板４，４Ａと、この本体板４，４Ａを前記パイプ２に密着固定させるための密着具５，５Ａを有し、前記密着具５，５Ａは膨張可能な弾性体５３，５３Ａと、この弾性体５３，５３Ａを押圧可能な封止板５６，５６Ａと、前記弾性体５３，５３Ａ及び前記封止板５６，５６Ａを貫通するネジ６，６Ａを有し、組み立て時には、前記弾性体５３，５３Ａは放射状に膨張し、前記パイプ２の内壁と固く密接状態となるとともに、前記密着具５，５Ａ及び前記封止板５６，５６Ａは前記パイプ２の中に全体が収容されることを特徴とする（請求項１）。前記弾性体は例えばゴム円板である。
【０００８】
好ましくは、前記本体板４，４Ａに前記パイプ端部２１，２２をはめ込むための円板状突起４３，４３Ａを設ける（請求項２）。
【０００９】
また好ましくは、前記本体板４，４Ａの上端に取付対象物１にひっかけるための爪４１，４２を設ける（請求項３）。
【００１０】
また好ましくは、前記爪４１，４２が外れないようにするための固定具８を設ける（請求項４）。前記固定具８が背板８１とこの背板８１から前方に突出する２本の腕８２，８３を有するものとすることができる（請求項５）。さらに、前記腕８２，８３の側部には矢尻を有する補助爪８５，８６を前記腕８２，８３に対して平行に設けることもできる（請求項６）
【００１１】
また好ましくは、前記パイプ２の前記左右端部２１，２２以外に前記パイプ２の中間部を吊り下げる支持具３２をさらに設ける（請求項７）。
【発明の効果】
【００１２】
請求項１の発明によると、本体板によりパイプを吊り下げると共に、パイプの外方からネジを回転させて封止具を引き寄せることにより、弾性体を膨張させてパイプと吊り下げ支持具を緊密に固定することができる。
【００１３】
請求項２の発明によると、本体板とパイプの接合位置決定が容易となると共に接合が安定化する。
【００１４】
請求項３の発明によると、吊り下げ支持具を取付対象物に取り付けることができる。
【００１５】
請求項４〜６の発明によると、吊り下げ支持具を取付対象物に安定的に取り付けるための固定具が得られる。
【００１６】
請求項７の発明によると、パイプの左右端部以外にパイプの中間部も支持することができるので、特にパイプが長い場合に水平を維持するのに役立つ。
【００１７】
以下、本発明の１実施例を添付の図面に基づいて説明する。
【図面の簡単な説明】
【００１８】
【図１】本発明の１実施例に係る吊りパイプ支持具の斜視図である。
【図２】同分解斜視図である。
【図３】同断面図である。
【図４】吊り下げ支持具をブラケットに固定する固定具の、（ａ）平面図、（ｂ）側面図、（ｃ）正面図、（ｄ）中央部縦断面図、（ｅ）背面図、（ｆ）底面図である。
【発明を実施するための形態】
【００１９】
添付図面の実施例は、複数のハンガーを吊るすために棚板（図示せず）からパイプ２を吊るすためのものである。
【００２０】
１.  ブラケット
図１に示すように、棚板を支持するためのブラケット１にパイプ２を吊り下げるために支持具３（３１，３２，３３）が取り付けられている。このブラケット１は、後部フック１１を支柱（図示せず）表面に設けられたスリットに差し込んで固定するタイプのものである。ブラケット１には支持具３と連結するための貫通孔１２が予め設けられている。この貫通孔１２は、上半分１３の幅が下半分１４の幅よりも広い。ブラケット１の先端部１５は円形となっており、その中心にネジ穴１６が設けられている。
【００２１】
２.  吊り下げ支持具
図1〜３に３種類の吊り下げ支持具３が示されている。左側（図において、一番ブラケット寄り）のものがパイプ左端支持用３１であり、反対側がパイプ右端支持用３３であり、中間にあるものが中間支持用３２である。以下、この３種類の支持具について、図２及び図３に基づいて説明する。
【００２２】
（１）左端用金具
左端用金具３１は、吊り下げ本体板４と、吊り下げ本体板４をパイプ２に密着固定させるための密着具５からなる。
【００２３】
吊り下げ本体板４は、パイプ２を吊り下げる長さに相当する長さを有する板状体であり、上端にブラケット係合用の爪４１を起立させ、下端にパイプ左端部にはめ込む円板状突起４３を有している。爪の先端４２は互いに外方へ曲げられており、この部分がブラケットの貫通孔１２（幅狭の下半分１４）と係合する（図1参照）。爪４１を差し込むときには貫通孔１２の幅広の上半分１３を使用するので引っ掛かることはない。円板状突起４３の中央にはネジ穴４４が設けられている。
【００２４】
密着具５は、吊り下げ本体板４側から見て、皿状の窪み５４を有する膨張可能な弾性ゴム円板５３と、皿状の封止具５６からなり、それぞれの中央部には全体を貫通するネジ孔５４，５７が設けられている。
【００２５】
弾性ゴム円板５３のゴム素材としては、天然ゴム、ブチルゴム、クロロプレンゴム、スチレン・ブタジエンゴム、ブタジエンゴム、アクリロニトリル・ブタジエンゴム、アクリルゴム、イソブチレンゴム、イソプレンゴム、エチレンプロピレンゴム、ウレタンゴム、フッ素ゴム、シリコンゴムなどの一般的なものが挙げられる。これらのゴムは、１種単独で、または２種以上を組み合わせて用いることができる。
【００２６】
吊り下げ本体板４と密着具５の２部品は、接着剤で互いに固定する。この状態で密着具５をパイプ左端２１に挿入し、パイプ外方からネジ６を挿通し、ドライバーで締め上げると、封止具５６は吊り下げ本体板４の側に引き寄せられる。ゴム円板５３は放射状に膨張し、パイプ２内壁と固く密接する。左端用金具３１はパイプ２に対してしっかりと固定される。
【００２７】
別の変形例では、吊り下げ本体板４を使用せずに密着具５のみを使用してパイプ２をブラケット１の先端部１５に直接取り付けることもできる。その場合は、先端部１５に密着具５を押し当て、ネジ穴１６を介してネジ６を挿通し、ドライバーで締め上げる。
【００２８】
（２）中間用金具
中間用金具３２は吊り下げ本体板７のみである。左端用金具３１と比較すると、密着具がない点と、パイプ全形を通過させる大きな貫通孔７１がある点で異なる。
【００２９】
（３）右端用金具
右端用金具３３は、左端用金具３１と同様に、吊り下げ本体板４Ａと、吊り下げ本体板４Ａをパイプに密着固定させるための密着具５Ａからなる。左端用金具３１と比較すると、右端用金具３３では、吊り下げ本体板４Ａの円板状突起４３Ａが反対側に突出している点でのみ異なる。左端用金具３１と同じ部品には同じ符号の後に「Ａ」を付して説明を省略する。
【００３０】
３.  吊り下げ支持具固定具
上記したように、吊り下げ支持具３はブラケット１の貫通孔１２にはめ込まれる。このままでは、単に爪４１の先端４２が貫通孔の側壁にひっかかっているだけなので、何かのはずみで外れて落下する恐れがある。それを防止する目的で本実施例では図１及び図４に示すような吊り下げ支持具の固定具８を用いる。
【００３１】
この固定具８は、全体を硬質合成樹脂で一体成形することが好ましい。硬質樹脂としては、例えば、スチレン系ポリマー、ポリアミド、ポリカーボネート、ポリプロピレン、硬質の熱可塑性エラストマー（例えばスチレン系エラストマー、オレフィン系エラストマー、ポリエステル系エラストマー）などの硬質で強靭な樹脂があげられる。特にナイロンが好ましい。
【００３２】
図４に示すように、この固定具８は、扁平な背板８１と、背板８１の両端から前方に突出する２本の腕８２，８３を有する。腕は中空にして弾力性を出すと共に、ブラケット貫通孔の形状に合わせて下端８４が幅狭となっている。腕の側部には矢尻を有する補助爪８５，８６が腕に対して平行に設けられている。固定具８がブラケット１と吊り下げ支持具３の隙間に差し込まれるときには（図１参照）、左右の補助爪８５，８６は中央方向に縮まって通過を許容するが、貫通孔１２を通過すると幅を回復して矢尻で貫通孔１２の壁に固定される。
【００３３】
パイプ２を取り外すときには、固定具８を抜き取り、ブラケットの貫通孔１２から外すことにより、左端用金具３１と右端用金具３３をつけたままパイプ２を取り外すことができる。左端用金具３１と右端用金具３３をブラケットに残したままパイプ２のみを取り外したいときには、ネジ６を緩めてパイプ２のみを外せばよい。いずれにしてもブラケット１や棚板を外す必要はない。
【符号の説明】
【００３４】
１     ブラケット
１１   後部フック
１２   貫通孔
１３   貫通孔の上半分
１４   貫通孔の下半分
１５  先端部
１６  ネジ穴
２     パイプ
２１   パイプ右端
２２   パイプ左端
３     吊り下げ支持具
３１   左端用金具
３２   中間用金具
３３   右端用金具
４，４Ａ      吊り下げ本体板
４１   爪
４２   先端
４３，４３Ａ  円板状突起
４４   ネジ穴
５，５Ａ      密着具
５２，５４，５７     ネジ孔
５３   ゴム円板
５６   封止具
６     ネジ
７     本体板
８     固定具
７１   貫通孔
８１   背板
８２，８３    腕
８４   腕の下端
８５，８６    補助爪
【図１】
0006484063.tif 000002
【図２】
0006484063.tif 000003
【図３】
0006484063.tif 000004
【図４】
0006484063.tif 000005